(57)【要約】【課題】１つのパッケージ繊維製品を複数色に色分け模様で染色することを可能とし、もって無地織りと同じ製織機と製織工程で従来にない風合いを備えた色分け模様の布帛を簡単に製造すること。【解決手段】多数の通気孔２ａを有する筒状コア２ｂの外周面に糸を巻回積層したパッケージ繊維製品２の外周面または内周面を、複数のノズル１０付被覆部材８で密着被覆する。またパッケージ繊維製品２の両端面を閉塞板３，２０で密着被覆する。パッケージ繊維製品２の内周面または外周面に負圧を作用させた状態で、被覆部材８の複数のノズル１０に複数色の染液を圧送して、パッケージ繊維製品２を複数色の色分け模様で染色する。【選択図】    図１
2004316023.tif 000002
【特許請求の範囲】
【請求項１】
多数の通気孔を有する筒状コアの外周面に糸を巻回積層したパッケージ繊維製品を染色する方法であって、前記パッケージ繊維製品の外周面または内周面を複数のノズル付被覆部材で密着被覆するとともに、パッケージ繊維製品の両端面を閉塞板で密着被覆し、前記パッケージ繊維製品の内周面または外周面に負圧を作用させた状態で、前記被覆部材の複数のノズルに複数色の染液を圧入して、前記パッケージ繊維製品を複数色に色分け模様で染色するようにしたことを特徴とするパッケージ繊維製品の染色方法。
【請求項２】
多数の通気孔を有する筒状コアの外周面に糸を巻回積層したパッケージ繊維製品を染色する装置であって、
前記パッケージ繊維製品の外周面または内周面を密着被覆する複数のノズル付被覆部材と、
前記被覆部材の複数のノズルに複数色の染液を圧送する染料タンクと、
パッケージ繊維製品の両端面を密着被覆する閉塞板と、
パッケージ繊維製品の内周面または外周面に負圧を作用させて染液を吸引する吸引手段とを有することを特徴とするパッケージ繊維製品の染色装置。
【発明の詳細な説明】
【０００１】
【発明の属する技術分野】
この発明は、チーズ等のパッケージ繊維製品を複数色の色分け模様に染色する染色方法および染色装置に関する。
【０００２】
【従来の技術】
チーズ等のパッケージ繊維製品を染色する装置としては、竪型パッケージ染色処理装置などが知られている。竪型パッケージ染色処理装置は、チーズ等のパッケージ繊維製品を複数積重したスピンドルを多数並立設したキャリアを処理槽内に装填し、キャリアの外側空間である処理槽内とキャリア内部とをブロワを有する気流循環路で連通したものであって、気流循環路に設けた噴霧ノズルから染液を噴霧供給し、パッケージ繊維製品の半径方向に染液を貫流させることによりパッケージ繊維製品を均一色に染色するものである。
【０００３】
【発明が解決しようとする課題】
従来のパッケージ繊維製品を染色する装置は、バッチ処理にて多数個のパッケージ繊維製品を一度に染色するものであり、染色の色は当然ながら単色に限られるため、色分け模様の布帛を製織するには色の異なる複数個のパッケージ繊維製品を準備する必要があった。
【０００４】
本発明は前述した課題を解決するためになされたものであって、その目的は、１つのパッケージ繊維製品を複数色に色分け模様で染色することを可能とし、もって無地織りと同じ製織機と製織工程で従来にない風合いを備えた色分け模様の布帛を簡単に製造することにある。
【０００５】
【課題を解決するための手段】
本発明の請求項１に係るパッケージ繊維製品の染色方法は、多数の通気孔を有する筒状コアの外周面に糸を巻回積層したパッケージ繊維製品を染色する方法であって、前記パッケージ繊維製品の外周面または内周面を複数のノズル付被覆部材で密着被覆するとともに、パッケージ繊維製品の両端面を閉塞板で密着被覆し、前記パッケージ繊維製品の内周面または外周面に負圧を作用させた状態で、前記被覆部材の複数のノズルに複数色の染液を圧送して、前記パッケージ繊維製品を複数色に色分け模様で染色するようにしたことを特徴とする。
【０００６】
この方法によれば、複数のノズルに異なる色の染液を圧送すると、この染液がパッケージ繊維製品の半径方向に貫流してパッケージ繊維製品の内部が各ノズルに対応した位置で複数色に色分け模様で染色される。従って、パッケージ繊維製品から糸を繰り出すと糸の色が例えば赤色→青色→茶色といったように次々と変わるから、従来の無地織りと同じ製織機と製織工程で布帛を織ると、今までにない、まったく斬新な色分け模様の布帛が出来上がる。
【０００７】
また本発明の請求項２に係るパッケージ繊維製品の染色装置は、多数の通気孔を有する筒状コアの外周面に糸を巻回積層したパッケージ繊維製品を染色する装置であって、前記パッケージ繊維製品の外周面または内周面を密着被覆する複数のノズル付被覆部材と、前記被覆部材の複数のノズルに複数色の染液を圧送する染料タンクと、パッケージ繊維製品の両端面を密着被覆する閉塞板と、パッケージ繊維製品の内周面または外周面に負圧を作用させて染液を吸引する吸引手段とを有することを特徴とする。
【０００８】
前記閉塞板はパッケージ繊維製品の両端面からの外気の吸入を阻止するためのものであって、これによりパッケージ繊維製品の内部に外気が吸入されることなく、染液のみが半径方向に貫流することでパッケージ繊維製品内部での染液の貫流が阻害されず、所定の色分け模様が得られる。
【０００９】
【発明の実施の形態】
以下、本発明の一実施形態について説明する。図１は本発明に係るパッケージ繊維製品の染色装置１の概略構成を示したものであって、多数の通気孔２ａを有する筒状コア２ｂ外周面に糸を巻回積層したパッケージ繊維製品２は、固定的に配設された円板状下閉塞板３の上に載置されている。この下閉塞板３の中央には、パッケージ繊維製品２の内径部４に嵌合可能な口金付開口部５が形成され、この開口部５に真空ポンプ６付の排液通路７が接続されている。パッケージ繊維製品２の外周面は、図１および図２に示すような円弧状に屈曲成形した同形等大のアルミダイキャスト製被覆部材８によって密着被覆されている。各被覆部材８には三行三列でマトリックス状に規則正しく並んだ合計９個のノズル孔９が被覆部材８を内外に貫通して形成されている。ノズル孔９の内側端部は、図２および図３のように被覆部材の内面側に形成された矩形凹所２４の中央に開口している。これらノズル孔９には染液を噴霧するノズル１０が取付けられ、各ノズル１０は染料圧送通路１１を介して染料タンク１２に接続されている。この染料圧送通路１１には上流側から圧力ポンプ１３と開閉弁１４が配設されている。
【００１０】
被覆部材８の外表面には連結金具１５がボルト付けされ、この連結金具１５に水平シリンダ１７のピストンロッド１８が連結されている。そして水平シリンダ１７の伸縮作動によって被覆部材８が水平動によりパッケージ繊維製品２の外周面に対して着脱されるようになっている。なお、ピストンロッド１８の上下にあるのはガイドロッド１６であって、このガイドロッド１６はピストンロッド１８と並行に配設され、その先端は被覆部材８に固定されるとともに、基端側は水平シリンダ１７の本体側にスライド自在に支持されている。
【００１１】
パッケージ繊維製品２の上端面は円板状上閉塞板２０によって閉塞されている。この上閉塞板２０の中央部は固定壁２１の下面に取付けられた垂直シリンダ２２のピストンロッド２３の下端部に連結され、垂直シリンダ２２の伸縮作動にて上閉塞板２０が上下動によりパッケージ繊維製品２の上端面に対して着脱されるようになっている。
【００１２】
パッケージ繊維製品２の染色装置は以上のように構成され、この装置によるパッケージ繊維製品２の染色は以下のように行われる。まず、水平シリンダ１７と垂直シリンダ２２をともに短縮させて被覆部材８相互間に間隔を空けておき、パッケージ繊維製品２を図１のように下閉塞板３上の中央に載置する。次に各水平シリンダ１７，２２を伸長させて３枚の被覆部材８をパッケージ繊維製品２の外周面に同時に押付けて密着させる。
【００１３】
次に、垂直シリンダ２２を伸長させて上閉塞板２０を下降させ、パッケージ繊維製品２の上端面に押付けて密着させる。この状態で真空ポンプ６を駆動してパッケージ繊維製品２の内径部に負圧を作用させ、開閉弁１４を開けて圧力ポンプ１３を駆動する。これにより図３のように被覆部材８のノズル孔９から染液が勢いよく噴霧され、この染液は矩形凹所２４で拡散されてパッケージ繊維製品２の内部を半径方向内方へ貫流し、内径部４から出て排液通路７と真空ポンプ６を通って排液タンク１９に排出される。染料タンク１２には色の異なる染液が貯溜されており、ノズル孔９から噴出した染液は次第に拡散しつつ内径部まで到達する。この際、内径部４側で染液の重合ないし混合を避けたい場合は、被覆部材８のノズル孔９相互間隔ないし矩形凹所２４相互間隔を広めに形成すればよいし、この反対にパッケージ繊維製品２の内部ないし内径部４側で染液の重合ないし混合を積極的に起こしたい場合は被覆部材８のノズル孔９相互間隔ないし矩形凹所２４相互間隔を狭めに形成すればよい。染液を所定秒数噴霧した後、負圧をさらに数秒間継続し、パッケージ繊維製品２の内部の余分な染液を吸い出した後、水平シリンダ１７および垂直シリンダ２２を短縮させ、被覆部材８と上閉塞板２０をパッケージ繊維製品２から離間させ、パッケージ繊維製品２を取出す。このようにして染色したパッケージ繊維製品２は、図４に示すように、各ノズルに対応した部分が色分け模様として染色された外観を呈するが、パッケージ繊維製品２の内部もほぼ同じパターンで三次元的色分け模様で染色されている。
【００１４】
以上、本発明の一実施形態につき説明したが、本発明は前記実施形態に限定されることなく種々の変形が可能であって、例えば前記実施形態ではパッケージ繊維製品２の内周面に負圧を作用させた状態で外周面側から染液を噴霧するようにしたが、この反対に外周面に負圧を作用させた状態で内周面側から染液を噴霧するようにしてもよい。
【００１５】
【発明の効果】
本発明によれば、パッケージ繊維製品の内部を複数の色分け模様で染色することができる。このようにして染色したパッケージ繊維製品を経糸用及び／又は緯糸用として複数使用して布帛を製織すると非常に斬新な風合いの布帛が得られる。
【図面の簡単な説明】
【図１】本発明に係るパッケージ繊維製品の染色装置の概略構成図。
【図２】パッケージ繊維製品と被覆部材の斜視図。
【図３】パッケージ繊維製品の一部の断面図。
【図４】染色後のパッケージ繊維製品の斜視図。
【符号の説明】
１          染色装置
２          パッケージ繊維製品
３          下閉塞板
３          円板状下閉塞板
４          内径部
５          開口部
６          真空ポンプ
７          排液通路
８          被覆部材
９          ノズル孔
１０      ノズル
１１      染料圧送通路
１２      染料タンク
１３      圧力ポンプ
１４      開閉弁
１５      金具
１６      ガイドロッド
１７      水平シリンダ
１８      ピストンロッド
１９      排液タンク
２０      上閉塞板
２１      固定壁
２２      垂直シリンダ
２３      ピストンロッド
２４      矩形凹所
【図１】
2004316023.tif 000003
【図２】
2004316023.tif 000004
【図３】
2004316023.tif 000005
【図４】
2004316023.tif 000006